(57)【要約】【課題】送信電力を低減するような制御がなされる端末装置に対してもスループットの低減を抑制したい。【解決手段】無線リソース割当部３８は、周波数多重した複数のサブチャネルを複数の端末装置にそれぞれ割り当てる。ＲＦ部２０、ベースバンド処理部２２、変復調部２４は、割り当てた複数のサブチャネルにて、複数の端末装置のそれぞれと可変の通信速度によって通信する。送信電力制御部４０は、複数の端末装置からの受信信号の強度が互いに近くなるように、当該複数の端末装置のそれぞれに対して送信強度の制御を指示する。無線リソース割当部３８は、送信強度の低下を指示した端末装置の通信速度が指示前の通信速度よりも低くなる場合に、当該端末装置に割り当てるべきサブチャネルの数を増加させる。【選択図】図４
2008252193.tif 000002
【特許請求の範囲】
【請求項１】
周波数多重した複数のサブチャネルを複数の端末装置にそれぞれ割り当てる割当部と、
前記割当部において割り当てた複数のサブチャネルにて、複数の端末装置のそれぞれと可変の通信速度によって通信する通信部とを備え、
前記通信部は、複数の端末装置からの受信信号の強度が互いに近くなるように、当該複数の端末装置のそれぞれに対して送信強度の制御を指示し、
前記割当部は、送信強度の低下を指示した端末装置の通信速度が指示前の通信速度よりも低くなる場合に、当該端末装置に割り当てるべきサブチャネルの数を増加させることを特徴とする基地局装置。
【請求項２】
前記割当部は、複数のサブチャネルの周波数多重によってタイムスロットを形成しながら、複数のタイムスロットの時間多重によってフレームを形成しており、端末装置に割り当てるべきサブチャネルの数が増加することによって、当該サブチャネルを含んだタイムスロットでの空きサブチャネルが不足した場合に、別のタイムスロットに含まれたサブチャネルを当該端末装置に割り当てることを特徴とする請求項１に記載の基地局装置。
【請求項３】
複数のサブチャネルの周波数多重によってタイムスロットを形成しながら、複数のタイムスロットの時間多重によってフレームを形成する基地局装置であって、
各タイムスロットに含まれた複数のサブチャネルを複数の端末装置にそれぞれ割り当てる割当部と、
前記割当部において割り当てた複数のサブチャネルにて、複数の端末装置のそれぞれと可変の通信速度によって通信する通信部とを備え、
前記通信部は、タイムスロット単位に受信信号の強度に対する目標値を規定し、タイムスロット内の複数の端末装置からの受信信号の強度が目標値に近くなるように、当該複数の端末装置のそれぞれに対して送信強度の制御を指示し、
前記割当部は、端末装置に対して、目標値の高いタイムスロットに含まれたサブチャネルを割り当てる場合よりも、目標値の低いタイムスロットに含まれたサブチャネルを割り当てる場合に、当該端末装置の通信速度を低下させながら、当該端末装置に割り当てるべきサブチャネルの数を増加させることを特徴とする基地局装置。
【請求項４】
複数のサブチャネルの周波数多重によってタイムスロットを形成しながら、複数のタイムスロットの時間多重によってフレームを形成する基地局装置であって、
各タイムスロットに含まれた複数のサブチャネルのそれぞれを端末装置に割り当てる割当部と、
前記割当部において割り当てた複数のサブチャネルのそれぞれにて、端末装置と可変の通信速度によって通信する通信部とを備え、
前記割当部は、端末装置からの受信信号の強度がしきい値よりも大きければ、送信強度の低下を指示しながら、同一タイムスロットに含まれた複数のサブチャネルを当該端末装置に割り当て、端末装置からの受信信号の強度がしきい値以下であれば、異なったタイムスロットに含まれた複数のサブチャネルを当該端末装置に割り当てることを特徴とする基地局装置。
【請求項５】
周波数多重した複数のサブチャネルを複数の端末装置にそれぞれ割り当てるステップと、
割り当てた複数のサブチャネルにて、複数の端末装置のそれぞれと可変の通信速度によって通信する通信するステップとを備え、
前記通信するステップは、複数の端末装置からの受信信号の強度が互いに近くなるように、当該複数の端末装置のそれぞれに対して送信強度の制御を指示し、
前記割り当てるステップは、送信強度の低下を指示した端末装置の通信速度が指示前の通信速度よりも低くなる場合に、当該端末装置に割り当てるべきサブチャネルの数を増加させることを特徴とする通信方法。
【請求項６】
複数のサブチャネルの周波数多重によってタイムスロットを形成しながら、複数のタイムスロットの時間多重によってフレームを形成する通信方法であって、
各タイムスロットに含まれた複数のサブチャネルを複数の端末装置にそれぞれ割り当てるステップと、
割り当てた複数のサブチャネルにて、複数の端末装置のそれぞれと可変の通信速度によって通信するステップとを備え、
前記通信するステップは、タイムスロット単位に受信信号の強度に対する目標値を規定し、タイムスロット内の複数の端末装置からの受信信号の強度が目標値に近くなるように、当該複数の端末装置のそれぞれに対して送信強度の制御を指示し、
前記割り当てるステップは、端末装置に対して、目標値の高いタイムスロットに含まれたサブチャネルを割り当てる場合よりも、目標値の低いタイムスロットに含まれたサブチャネルを割り当てる場合に、当該端末装置の通信速度を低下させながら、当該端末装置に割り当てるべきサブチャネルの数を増加させることを特徴とする通信方法。
【請求項７】
複数のサブチャネルの周波数多重によってタイムスロットを形成しながら、複数のタイムスロットの時間多重によってフレームを形成する通信方法であって、
各タイムスロットに含まれた複数のサブチャネルのそれぞれを端末装置に割り当てるステップと、
割り当てた複数のサブチャネルのそれぞれにて、端末装置と可変の通信速度によって通信するステップとを備え、
前記割り当てるステップは、端末装置からの受信信号の強度がしきい値よりも大きければ、送信強度の低下を指示しながら、同一タイムスロットに含まれた複数のサブチャネルを当該端末装置に割り当て、端末装置からの受信信号の強度がしきい値以下であれば、異なったタイムスロットに含まれた複数のサブチャネルを当該端末装置に割り当てることを特徴とする通信方法。
【発明の詳細な説明】
【技術分野】
【０００１】
本発明は、通信技術に関し、特に端末装置にチャネルを割り当てる通信方法およびそれを利用した基地局装置に関する。
【背景技術】
【０００２】
無線通信システムにおいて、基地局装置が複数の端末装置を接続する場合がある。基地局装置が複数の端末装置を接続する際の形態のひとつが、ＴＤＭＡ／ＴＤＤである。ＴＤＭＡ／ＴＤＤでは、複数のタイムスロットによってフレームが形成されており、さらに複数のフレームが連続して配置される。また、ひとつのフレームに含まれた複数のタイムスロットの一部が上り回線のために使用され、残りのタイムスロットが下り回線のために使用される。このようなＴＤＭＡ／ＴＤＤを使用した先行技術では、ひとつのフレームのうちの上り回線のために使用されるタイムスロットの数と、下り回線のために使用されるタイムスロットの数とが、トラヒックの違いに応じて設定される（例えば、特許文献１参照）。
【特許文献１】特開平８−１８６５３３号公報
【発明の開示】
【発明が解決しようとする課題】
【０００３】
一般的に、無線通信において、限りある周波数資源の有効利用が望まれている。特に、通信速度の高速化に伴い、その要請はさらに高まっている。この要請に応えるための技術のひとつが、ＯＦＤＭＡ（Ｏｒｔｈｏｇｏｎａｌ  Ｆｒｅｑｕｅｎｃｙ  Ｄｉｖｉｓｉｏｎ  Ｍｕｌｔｉｐｌｅ  Ａｃｃｅｓｓ）方式であり、これは、前述のＴＤＭＡ／ＴＤＤと組合せ可能である。ＯＦＤＭＡとは、ＯＦＤＭを利用しながら複数の端末装置を周波数多重する技術である。
【０００４】
このようなＯＦＤＭＡでは、複数のサブキャリアによってサブチャネルが形成されており、複数のサブチャネルによってマルチキャリア信号が形成されている。また、基地局装置は、少なくともひとつのサブチャネルを端末装置に割り当てることによって、端末装置との通信を実行する。このような状況下において、基地局装置において受信される複数の端末装置からの信号であって、かつ複数のサブチャネルの信号の強度が異なれば、受信品質が悪化しやすくなる。信号の強度を近くするために、基地局装置は、複数の端末装置のそれぞれに対して送信電力制御を実行する。その際、送信電力を低減するような制御がなされる端末装置では、制御がなされない場合と比較して、スループットが低減する可能性がある。
【０００５】
本発明はこうした状況に鑑みてなされたものであり、その目的は、送信電力を低減するような制御がなされる端末装置に対してもスループットの低減を抑制する通信技術を提供することにある。
【課題を解決するための手段】
【０００６】
上記課題を解決するために、本発明のある態様の基地局装置は、周波数多重した複数のサブチャネルを複数の端末装置にそれぞれ割り当てる割当部と、割当部において割り当てた複数のサブチャネルにて、複数の端末装置のそれぞれと可変の通信速度によって通信する通信部とを備える。通信部は、複数の端末装置からの受信信号の強度が互いに近くなるように、当該複数の端末装置のそれぞれに対して送信強度の制御を指示し、割当部は、送信強度の低下を指示した端末装置の通信速度が指示前の通信速度よりも低くなる場合に、当該端末装置に割り当てるべきサブチャネルの数を増加させる。
【０００７】
この態様によると、送信強度の低下を指示した端末装置の通信速度が指示前の通信速度よりも低くなる場合に、当該端末装置に割り当てるべきサブチャネルの数を増加させるので、送信電力を低減するような制御がなされる端末装置に対してもスループットの低減を抑制できる。
【０００８】
割当部は、複数のサブチャネルの周波数多重によってタイムスロットを形成しながら、複数のタイムスロットの時間多重によってフレームを形成しており、端末装置に割り当てるべきサブチャネルの数が増加することによって、当該サブチャネルを含んだタイムスロットでの空きサブチャネルが不足した場合に、別のタイムスロットに含まれたサブチャネルを当該端末装置に割り当てる。この場合、割り当てるべきサブチャネルの数が増加することによって空きサブチャネルが不足すると、別のタイムスロットにおけるサブチャネルを割り当てるので、当該端末装置に対するスループットの低減を抑制できる。
【０００９】
本発明の別の態様もまた、基地局装置である。この装置は、複数のサブチャネルの周波数多重によってタイムスロットを形成しながら、複数のタイムスロットの時間多重によってフレームを形成する基地局装置であって、各タイムスロットに含まれた複数のサブチャネルを複数の端末装置にそれぞれ割り当てる割当部と、割当部において割り当てた複数のサブチャネルにて、複数の端末装置のそれぞれと可変の通信速度によって通信する通信部とを備える。通信部は、タイムスロット単位に受信信号の強度に対する目標値を規定し、タイムスロット内の複数の端末装置からの受信信号の強度が目標値に近くなるように、当該複数の端末装置のそれぞれに対して送信強度の制御を指示し、割当部は、端末装置に対して、目標値の高いタイムスロットに含まれたサブチャネルを割り当てる場合よりも、目標値の低いタイムスロットに含まれたサブチャネルを割り当てる場合に、当該端末装置の通信速度を低下させながら、当該端末装置に割り当てるべきサブチャネルの数を増加させる。
【００１０】
この態様によると、目標値の高いタイムスロットに含まれたサブチャネルを割り当てる場合よりも、目標値の低いタイムスロットに含まれたサブチャネルを割り当てる場合に、当該端末装置の通信速度を低下させながら、当該端末装置に割り当てるべきサブチャネルの数を増加させるので、スループットの低減を抑制できる。
【００１１】
本発明のさらに別の態様もまた、基地局装置である。この装置は、複数のサブチャネルの周波数多重によってタイムスロットを形成しながら、複数のタイムスロットの時間多重によってフレームを形成する基地局装置であって、各タイムスロットに含まれた複数のサブチャネルのそれぞれを端末装置に割り当てる割当部と、割当部において割り当てた複数のサブチャネルのそれぞれにて、端末装置と可変の通信速度によって通信する通信部とを備える。割当部は、端末装置からの受信信号の強度がしきい値よりも大きければ、送信強度の低下を指示しながら、同一タイムスロットに含まれた複数のサブチャネルを当該端末装置に割り当て、端末装置からの受信信号の強度がしきい値以下であれば、異なったタイムスロットに含まれた複数のサブチャネルを当該端末装置に割り当てる。
【００１２】
この態様によると、受信強度が大きい端末装置に対して、送信強度を低下させながら、同一タイムスロットに含まれた複数のサブチャネルを割り当て、受信強度が小さい端末装置に対して、異なったタイムスロットに含まれた複数のサブチャネルを割り当てるので、後からサブチャネルを割り当てる端末装置に対する通信速度の低減を抑制できる。
【００１３】
本発明のさらに別の態様は、通信方法である。この方法は、周波数多重した複数のサブチャネルを複数の端末装置にそれぞれ割り当てるステップと、割り当てた複数のサブチャネルにて、複数の端末装置のそれぞれと可変の通信速度によって通信する通信するステップとを備える。通信するステップは、複数の端末装置からの受信信号の強度が互いに近くなるように、当該複数の端末装置のそれぞれに対して送信強度の制御を指示し、割り当てるステップは、送信強度の低下を指示した端末装置の通信速度が指示前の通信速度よりも低くなる場合に、当該端末装置に割り当てるべきサブチャネルの数を増加させる。
【００１４】
割り当てるステップは、複数のサブチャネルの周波数多重によってタイムスロットを形成しながら、複数のタイムスロットの時間多重によってフレームを形成しており、端末装置に割り当てるべきサブチャネルの数が増加することによって、当該サブチャネルを含んだタイムスロットでの空きサブチャネルが不足した場合に、別のタイムスロットに含まれたサブチャネルを当該端末装置に割り当ててもよい。
【００１５】
本発明のさらに別の態様もまた、通信方法である。この方法は、複数のサブチャネルの周波数多重によってタイムスロットを形成しながら、複数のタイムスロットの時間多重によってフレームを形成する通信方法であって、各タイムスロットに含まれた複数のサブチャネルを複数の端末装置にそれぞれ割り当てるステップと、割り当てた複数のサブチャネルにて、複数の端末装置のそれぞれと可変の通信速度によって通信するステップとを備える。通信するステップは、タイムスロット単位に受信信号の強度に対する目標値を規定し、タイムスロット内の複数の端末装置からの受信信号の強度が目標値に近くなるように、当該複数の端末装置のそれぞれに対して送信強度の制御を指示し、割り当てるステップは、端末装置に対して、目標値の高いタイムスロットに含まれたサブチャネルを割り当てる場合よりも、目標値の低いタイムスロットに含まれたサブチャネルを割り当てる場合に、当該端末装置の通信速度を低下させながら、当該端末装置に割り当てるべきサブチャネルの数を増加させる。
【００１６】
本発明のさらに別の態様もまた、通信方法である。この方法は、複数のサブチャネルの周波数多重によってタイムスロットを形成しながら、複数のタイムスロットの時間多重によってフレームを形成する通信方法であって、各タイムスロットに含まれた複数のサブチャネルのそれぞれを端末装置に割り当てるステップと、割り当てた複数のサブチャネルのそれぞれにて、端末装置と可変の通信速度によって通信するステップとを備える。割り当てるステップは、端末装置からの受信信号の強度がしきい値よりも大きければ、送信強度の低下を指示しながら、同一タイムスロットに含まれた複数のサブチャネルを当該端末装置に割り当て、端末装置からの受信信号の強度がしきい値以下であれば、異なったタイムスロットに含まれた複数のサブチャネルを当該端末装置に割り当てる。
【００１７】
本発明のさらに別の態様は、プログラムである。このプログラムは、周波数多重した複数のサブチャネルを複数の端末装置にそれぞれ割り当てるステップと、割り当てた複数のサブチャネルにて、複数の端末装置のそれぞれと可変の通信速度によって通信する通信するステップとを備える。通信するステップは、複数の端末装置からの受信信号の強度が互いに近くなるように、当該複数の端末装置のそれぞれに対して送信強度の制御を指示し、割り当てるステップは、送信強度の低下を指示した端末装置の通信速度が指示前の通信速度よりも低くなる場合に、当該端末装置に割り当てるべきサブチャネルの数を増加させる。
【００１８】
割り当てるステップは、複数のサブチャネルの周波数多重によってタイムスロットを形成しながら、複数のタイムスロットの時間多重によってフレームを形成しており、端末装置に割り当てるべきサブチャネルの数が増加することによって、当該サブチャネルを含んだタイムスロットでの空きサブチャネルが不足した場合に、別のタイムスロットに含まれたサブチャネルを当該端末装置に割り当ててもよい。
【００１９】
本発明のさらに別の態様もまた、プログラムである。このプログラムは、複数のサブチャネルの周波数多重によってタイムスロットを形成しながら、複数のタイムスロットの時間多重によってフレームを形成する通信方法であって、各タイムスロットに含まれた複数のサブチャネルを複数の端末装置にそれぞれ割り当てるステップと、割り当てた複数のサブチャネルにて、複数の端末装置のそれぞれと可変の通信速度によって通信するステップとを備える。通信するステップは、タイムスロット単位に受信信号の強度に対する目標値を規定し、タイムスロット内の複数の端末装置からの受信信号の強度が目標値に近くなるように、当該複数の端末装置のそれぞれに対して送信強度の制御を指示し、割り当てるステップは、端末装置に対して、目標値の高いタイムスロットに含まれたサブチャネルを割り当てる場合よりも、目標値の低いタイムスロットに含まれたサブチャネルを割り当てる場合に、当該端末装置の通信速度を低下させながら、当該端末装置に割り当てるべきサブチャネルの数を増加させる。
【００２０】
本発明のさらに別の態様もまた、プログラムである。このプログラムは、複数のサブチャネルの周波数多重によってタイムスロットを形成しながら、複数のタイムスロットの時間多重によってフレームを形成する通信方法であって、各タイムスロットに含まれた複数のサブチャネルのそれぞれを端末装置に割り当てるステップと、割り当てた複数のサブチャネルのそれぞれにて、端末装置と可変の通信速度によって通信するステップとを備える。割り当てるステップは、端末装置からの受信信号の強度がしきい値よりも大きければ、送信強度の低下を指示しながら、同一タイムスロットに含まれた複数のサブチャネルを当該端末装置に割り当て、端末装置からの受信信号の強度がしきい値以下であれば、異なったタイムスロットに含まれた複数のサブチャネルを当該端末装置に割り当てる。
【００２１】
なお、以上の構成要素の任意の組合せ、本発明の表現を方法、装置、システム、記録媒体、コンピュータプログラムなどの間で変換したものもまた、本発明の態様として有効である。
【発明の効果】
【００２２】
本発明によれば、送信電力を低減するような制御がなされる端末装置に対してもスループットの低減を抑制できる。
【発明を実施するための最良の形態】
【００２３】
本発明を具体的に説明する前に、まず概要を述べる。本発明の実施例は、基地局装置と、少なくともひとつの端末装置によって構成される通信システムに関する。通信システムにおいて、各フレームは、複数のタイムスロットが時間分割多重されることによって形成され、各タイムスロットは、複数のサブチャネルが周波数分割多重されることによって形成されている。また、各サブチャネルは、マルチキャリア信号によって形成されている。ここで、マルチキャリア信号としてＯＦＤＭ信号が使用されており、周波数分割多重としてＯＦＤＭＡが使用されている。
【００２４】
基地局装置は、各タイムスロットに含まれた複数のサブチャネルのそれぞれを端末装置に割り当てることによって、複数の端末装置との通信を実行する。また、通信の際に、適応変調あるいはリンクアダプテーションが実行されている。これらは、端末装置との間の無線伝送路の品質に応じて、通信速度を変更する技術である。前述のごとく、複数のサブチャネルのそれぞれには、ＯＦＤＭＡがなされているので、複数のサブチャネル間には、直交性が要求される。また、上り回線の所定のタイムスロットに含まれた信号は、複数の端末装置から送信されており、かつそれらに対して基地局装置は一括してＦＦＴを実行する。そのため、複数の端末装置からの受信信号には、近い強度になることが要求される。これに対応して、基地局装置は、複数の端末装置のそれぞれに対して送信電力制御の実行を指示する。送信電力制御を実行させることによって、所定の端末装置では、送信電力制御を実行させる前よりも通信速度が低下する。これに対応するために、本実施例に係る基地局装置は、以下の処理を実行する。
【００２５】
基地局装置は、複数のサブチャネルのそれぞれに割り当てるべき端末装置からの受信電力を測定する。また、複数の端末装置のそれぞれからの受信電力が近くなるように、送信電力制御が実行される。基地局装置は、送信電力制御の実行によって通信速度が低下する端末装置に対して、割り当てるべきサブチャネルの数を増加させる。例えば、基地局装置は、通信速度が１／２になる端末装置に対してふたつのサブチャネルを割り当てる。その結果、当該端末装置に対するトータルのスループットは、確保される。
【００２６】
図１は、本発明の実施例に係る通信システム１００の構成を示す。通信システム１００は、基地局装置１０、端末装置１２と総称される第１端末装置１２ａ、第２端末装置１２ｂ、第３端末装置１２ｃを含む。
【００２７】
基地局装置１０は、一端に無線ネットワークを介して端末装置１２を接続し、他端に図示しない有線ネットワークを接続する。また、端末装置１２は、無線ネットワークを介して基地局装置１０に接続する。基地局装置１０は、複数の端末装置１２に対して通信チャネルを割り当てることによって、複数の端末装置１２との通信を実行する。具体的には、端末装置１２が基地局装置１０に対してチャネル割当の要求信号を送信し、基地局装置１０は、受信した要求信号に応答して、端末装置１２に通信チャネルを割り当てる。
【００２８】
また、基地局装置１０は、端末装置１２に割り当てた通信チャネルに関する情報を送信し、端末装置１２は、割り当てられた通信チャネルを使用しながら、基地局装置１０との通信を実行する。その結果、端末装置１２から送信されたデータは、基地局装置１０を介して、有線ネットワークに出力され、最終的に有線ネットワークに接続された図示しない通信装置に受信される。また、通信装置から端末装置１２への方向にもデータは伝送される。また、基地局装置１０は、複数の端末装置１２のそれぞれと可変の通信速度にて通信する。通信速度は、変調方式と符号化率との組合せによって特定される。また、通信速度は、端末装置１２と基地局装置１０との間の無線伝送路に応じて、基地局装置１０において決定されるものとする。例えば、端末装置１２からの受信信号の電力が大きければ、基地局装置１０は、当該端末装置１２に対する通信速度を高速にする。なお、このような、適応変調あるいはリンクアダプテーションには、公知の技術が使用されればよい。
【００２９】
以上の説明において、通信チャネルは、前述のサブチャネルとタイムスロットの組合せによって特定される。また、基地局装置１０は、複数のタイムスロットと、複数のサブチャネルを有しているので、複数のタイムスロットによってＴＤＭＡを実行しつつ、複数のサブチャネルによってＯＦＤＭＡを実行する。さらに、前述の通信速度は、サブチャネルを単位に規定されるものとする。
【００３０】
図２（ａ）−（ｃ）は、通信システム１００におけるフレーム構成を示す。図の横方向が時間軸に相当する。フレームは、８つのタイムスロットの時間多重によって形成されている。また、８つのタイムスロットは、４つの上りタイムスロットと４つの下りタイムスロットから構成されている。ここでは、４つの上りタイムスロットを「第１上りタイムスロット」から「第４上りタイムスロット」として示し、４つの下りタイムスロットを「第１下りタイムスロット」から「第４下りタイムスロット」として示す。また、図示したフレームは、連続して繰り返される。なお、フレームの構成は、図２（ａ）に限定されず、例えば、４つのタイムスロットや１６個のタイムスロットによって構成されてもよいが、ここでは、説明を明瞭にするために、フレームの構成を図２（ａ）として説明する。また、説明を簡潔にするために、上りのタイムスロットと下りのタイムスロットの構成は、同一であるとする。そのため、上りタイムスロットと下りタイムスロットのいずれかについてのみ説明を行う場合もあるが、他方のタイムスロットも同様の説明が有効である。
【００３１】
図２（ｂ）は、図２（ａ）のうちのひとつのタイムスロットの構成を示す。図の縦方向が周波数軸に相当する。図示のごとく、ひとつのタイムスロットは、「第１サブチャネル」から「第１６サブチャネル」までの「１６」個のサブチャネルの周波数多重によって形成される。また、これらの複数のサブチャネルは、周波数分割多重されている。各タイムスロットが図２（ｂ）のように構成されているので、タイムスロットとサブチャネルとの組合せによって、前述の通信チャネルが特定される。また、図２（ｂ）のうちのひとつのサブチャネルに対応したフレーム構成が図２（ａ）であるとしてもよい。なお、ひとつのタイムスロットに配置されるサブチャネルの数は、「１６」個でなくてもよい。
【００３２】
図２（ｃ）は、図２（ｂ）のうちのひとつのサブチャネルの構成を示す。図２（ａ）や図２（ｂ）と同様に、図の横方向が時間軸に相当し、図の縦方向が周波数軸に相当する。また、周波数軸に対して、「１」から「２９」の番号を付与しているが、これらは、サブキャリアの番号を示す。このように、サブチャネルは、マルチキャリア信号によって構成されており、特にＯＦＤＭ信号によって構成されている。図中の「ＴＳ」は、トレーニングシンボルに相当し、既知の値によって構成される。また、「ＴＳ」中に制御信号が含まれてもよいものとする。「ＧＳ」は、ガードシンボルに相当し、ここに実質的な信号は配置されない。「ＰＳ」は、パイロットシンボルに相当し、既知の値によって構成される。「ＤＳ」は、データシンボルに相当し、送信すべきデータである。「ＧＴ」は、ガードタイムに相当し、ここに実質的な信号は配置されない。
【００３３】
図３は、通信システム１００におけるサブチャネルの配置を示す。図３では、横軸に周波数軸が示されており、図２（ｂ）に示したタイムスロットに対するスペクトルが示される。ひとつのタイムスロットには、前述のごとく、第１サブチャネルから第１６サブチャネルの１６個のサブチャネルが周波数分割多重されている。各サブチャネルは、マルチキャリア信号、ここでは、ＯＦＤＭ信号によって構成されている。
【００３４】
図４は、基地局装置１０の構成を示す。基地局装置１０は、ＲＦ部２０と総称される第１ＲＦ部２０ａ、第２ＲＦ部２０ｂ、第ＮＲＦ部２０ｎ、ベースバンド処理部２２、変復調部２４、ＩＦ部２６、無線制御部２８、記憶部３０を含む。また、無線制御部２８は、制御チャネル決定部３２、通信品質判定部３４、無線リソース割当部３８、送信電力制御部４０を含む。
【００３５】
ＲＦ部２０は、受信処理として、図示しない端末装置１２から受信した無線周波数のマルチキャリア信号に対して周波数変換を実行し、ベースバンドのマルチキャリア信号を生成する。ここで、マルチキャリア信号は、図３のごとく形成されており、また、図２（ａ）の上りタイムスロットに相当する。さらに、ＲＦ部２０は、ベースバンドのマルチキャリア信号をベースバンド処理部２２に出力する。一般的に、ベースバンドのマルチキャリア信号は、同相成分と直交成分によって形成されるので、ふたつの信号線によって伝送されるべきであるが、ここでは、図を明瞭にするためにひとつの信号線だけを示すものとする。また、ＲＦ部２０には、ＡＧＣやＡ／Ｄ変換部も含まれる。
【００３６】
ＲＦ部２０は、送信処理として、ベースバンド処理部２２から入力したベースバンドのマルチキャリア信号に対して周波数変換を実行し、無線周波数のマルチキャリア信号を生成する。さらに、ＲＦ部２０は、無線周波数のマルチキャリア信号を送信する。なお、ＲＦ部２０は、受信したマルチキャリア信号と同一の無線周波数帯を使用しながら、マルチキャリア信号を送信する。つまり、図２（ａ）のごとく、ＴＤＤ（Ｔｉｍｅ  Ｄｉｖｉｓｉｏｎ  Ｄｕｐｌｅｘ）が使用されているものとする。また、ＲＦ部２０には、ＰＡ（Ｐｏｗｅｒ  Ａｍｐｌｉｆｉｅｒ）、Ｄ／Ａ変換部も含まれる。
【００３７】
ベースバンド処理部２２は、受信動作として、複数のＲＦ部２０のそれぞれからベースバンドのマルチキャリア信号を入力する。ベースバンドのマルチキャリア信号は、時間領域の信号であるので、ベースバンド処理部２２は、ＦＦＴによって、時間領域の信号を周波数領域に変換し、周波数領域の信号に対してアダプティブアレイ信号処理を実行する。また、ベースバンド処理部２２は、タイミング同期、つまりＦＦＴのウインドウの設定を実行し、ガードインターバルの削除も実行する。タイミング同期等には、公知の技術が使用されればよいので、ここでは、説明を省略する。ベースバンド処理部２２は、アダプティブアレイ信号処理の結果を変復調部２４へ出力する。ベースバンド処理部２２は、送信動作として、変復調部２４から、周波数領域のマルチキャリア信号を入力し、ウエイトベクトルによる分散処理を実行する。
【００３８】
ベースバンド処理部２２は、送信動作として、変復調部２４から入力した周波数領域のマルチキャリア信号に対して、ＩＦＦＴによって、周波数領域の信号を時間領域に変換し、変換した時間領域の信号をＲＦ部２０へ出力する。また、ベースバンド処理部２２は、ガードインターバルの付加も実行するが、ここでは説明を省略する。ここで、周波数領域の信号は、図２（ｂ）のごとく、複数のサブチャネルを含み、さらにサブチャネルのそれぞれは、図２（ｃ）の縦方向のごとく、複数のサブキャリアを含む。図を明瞭にするために、周波数領域の信号は、サブキャリア番号の順に並べられて、シリアル信号を形成しているものとする。
【００３９】
変復調部２４は、受信処理として、ベースバンド処理部２２からの周波数領域のマルチキャリア信号に対して、復調を実行する。周波数領域に変換したマルチキャリア信号は、図２（ｂ）や（ｃ）のごとく、複数のサブキャリアのそれぞれに対応した成分を有する。また、復調は、サブキャリア単位でなされる。変復調部２４は、復調した信号をＩＦ部２６に出力する。また、変復調部２４は、送信処理として、変調を実行する。変復調部２４は、変調した信号を周波数領域のマルチキャリア信号としてベースバンド処理部２２に出力する。
【００４０】
なお、前述のごとく、図示しない端末装置１２と通信を実行する際の通信速度は、可変であるものとする。また、通信速度は、一般的に、変調方式と符号化率等との組合せによって規定されているが、説明を明瞭にするために、変調方式のみが変更されるものとする。その際、変復調部２４は、無線制御部２８からの指示にしたがって変調方式を可変に設定する。変調方式として、例えば、ＢＰＳＫ、ＱＰＳＫ、１６ＱＡＭ、６４ＱＡＭのいずれかが設定される。また、ここでは、サブチャネル単位の通信速度を特に「通信速度」と定義し、ひとつの端末装置１２に対して複数のサブチャネルを割り当てた場合の端末装置１２に対する通信速度を「スループット」と定義する。以上より、変復調部２４は、後述の無線制御部２８において割り当てた複数のサブチャネルにて、複数の端末装置１２のそれぞれと可変の通信速度によって通信する。
【００４１】
ＩＦ部２６は、受信処理として、変復調部２４から復調結果を受けつけ、復調結果を端末装置１２単位に分離する。つまり、復調結果は、図３のごとく、複数のサブチャネルによって構成されている。そのため、ひとつのサブチャネルがひとつの端末装置１２に割り当てられている場合、復調結果には、複数の端末装置１２からの信号が含まれている。ＩＦ部２６は、このような復調結果を端末装置１２単位に分離する。ＩＦ部２６は、分離した復調結果を図示しない有線ネットワークに出力する。その際、ＩＦ部２６は、宛先を識別するための情報、例えば、ＩＰ（Ｉｎｔｅｒｎｅｔ  Ｐｒｏｔｏｃｏｌ）アドレスにしたがって送信を実行する。
【００４２】
また、ＩＦ部２６は、送信処理として、図示しない有線ネットワークから複数の端末装置１２に対するデータを入力する。ＩＦ部２６は、データをサブチャネルに割り当て、複数のサブチャネルからマルチキャリア信号を形成する。つまり、ＩＦ部２６は、図３のごとく、複数のサブチャネルによって構成されるマルチキャリア信号を形成する。なお、データが割り当てられるべきサブチャネルは、図２（ｃ）のごとく予め決められており、それに関する指示は、無線制御部２８から受けつけるものとする。ＩＦ部２６は、マルチキャリア信号を変復調部２４に出力する。
【００４３】
通信品質判定部３４は、図示しない信号線を介して、ベースバンド処理部２２から周波数領域のマルチキャリア信号を受けつける。ここで、周波数領域のマルチキャリア信号は、アダプティブアレイ信号処理の結果であってもよい。また、通信品質判定部３４は、周波数領域のマルチキャリア信号をもとに、各端末装置１２からの受信信号の強度、つまり受信電力を測定する。受信電力の測定は、公知の技術によってなされるので、ここでは、説明を省略する。通信品質判定部３４は、測定した受信電力を無線リソース割当部３８に出力する。
【００４４】
無線リソース割当部３８は、各タイムスロットに含まれた複数のサブチャネルを複数の端末装置１２に定期的にそれぞれ割り当てる。無線リソース割当部３８は、以下の規則にしたがいながら、タイムスロットを特定した後に、特定したタイムスロットに含まれたサブチャネルを特定し、特定したサブチャネルを端末装置１２に割り当てる。無線リソース割当部３８は、タイムスロット単位に受信信号の強度に対する目標値を規定しており、当該目標値は、記憶部３０に記憶される。図５は、記憶部３０に記憶された目標値のデータ構造を示す。図示のごとく、第１タイムスロット欄２００、第２タイムスロット欄２０２、第３タイムスロット欄２０４、第４タイムスロット欄２０６が含まれる。また、第１タイムスロットから第４タイムスロットのそれぞれに対する目標値として、「Ｃ１」から「Ｃ４」が規定される。ここで、「Ｃ１」から「Ｃ４」の目標値は、受信電力に対応した単位を有し、かつ互いに異なった値となるように規定されているものとする。なお、「Ｃ１」から「Ｃ４」の目標値は、同一の値でもよい。図４に戻る。
【００４５】
無線リソース割当部３８は、記憶部３０に記憶された図５のテーブルを参照しながら、通信品質判定部３４からの受信信号をもとに、当該受信信号に適したタイムスロットを特定する。例えば、無線リソース割当部３８は、受信信号と目標値との誤差が最小のタイムスロットを選択する。さらに、無線リソース割当部３８は、特定したタイムスロットの中から、サブチャネルを特定する。なお、無線リソース割当部３８は、上り回線と下り回線とにおいて対称となるように、端末装置１２に対するサブチャネルの割当を実行する。以上の処理により、無線リソース割当部３８は、端末装置１２からの受信信号の強度が目標値に近くなるように、タイムスロットを特定する。これは、各タイムスロット内において、複数の端末装置１２からの受信信号の強度が互いに近くなるように、タイムスロットの特定がなされることに相当する。
【００４６】
送信電力制御部４０は、無線リソース割当部３８においてサブチャネルを割り当てる際、あるいは割り当てた後に、変復調部２４、ベースバンド処理部２２、ＲＦ部２０を介して、複数の端末装置１２のそれぞれに対して送信強度の制御を指示する。つまり、送信電力制御部４０は、複数の端末装置１２に対して、送信強度の増加や低減を指示するための信号を送信する。その結果、タイムスロット単位に規定された目標値に、タイムスロット内の複数の端末装置１２からの受信信号の強度が近くなるような上り回線の送信電力制御が実行される。これは、タイムスロット内において、複数の端末装置１２からの受信信号の強度が互いに近くなるような送信電力制御ともいえる。なお、送信電力制御は、公知の技術によって実現されればよいので、ここでは、説明を省略するが、送信電力制御部４０は、通信品質判定部３４からの受信電力をもとに送信電力制御を実行するものとする。
【００４７】
無線リソース割当部３８は、送信電力制御部４０において送信強度の低下を指示した端末装置１２の通信速度が指示前の通信速度よりも低くなる場合に、当該端末装置１２に割り当てるべきサブチャネルの数を増加させる。この処理をさらに詳しく説明する。前述のごとく、変復調部２４は、適応変調を実行しており、受信電力に応じて変調方式が決定されている。例えば、受信電力がある程度大きければ、変調方式として「１６ＱＡＭ」が選択され、それよりも受信電力が小さくなれば、変調方式として「ＱＰＳＫ」が選択されるものとする。記憶部３０には、複数の変調方式と、複数の変調方式のそれぞれに対するしきい値とを対応づけたテーブルが記憶されており、無線リソース割当部３８は、テーブルを参照しながら、通信品質判定部３４からの受信電力をもとに変調方式を決定する。
【００４８】
無線リソース割当部３８は、通信品質判定部３４からの受信電力の他に、送信電力制御部４０における指示の内容も受けつける。その結果、無線リソース割当部３８は、指示内容に応じて受信電力を補正し、補正した受信電力とテーブルとをもとに、指示した後の変調方式を推定する。その結果、指示後の変調方式に対応した通信速度が、指示前の変調方式に対応した通信速度よりも低ければ、無線リソース割当部３８は、端末装置１２に割り当てるべきサブチャネルの数を増加させる。ここで、無線リソース割当部３８は、通信速度の低下量に応じて、サブチャネル数の増加量を決定する。例えば、通信速度が１／２、１／４になれば、無線リソース割当部３８は、サブチャネル数を２倍、４倍にする。また、以上の処理は、端末装置１２に対して、目標値の高いタイムスロットに含まれたサブチャネルを割り当てる場合よりも、目標値の低いタイムスロットに含まれたサブチャネルを割り当てる場合に、無線リソース割当部３８が、当該端末装置１２の通信速度を低下させながら、当該端末装置１２に割り当てるべきサブチャネルの数を増加させるといってもよい。
【００４９】
図６（ａ）−（ｂ）は、無線リソース割当部３８におけるサブチャネルの割当の概要を示す。なお、図６（ａ）−（ｂ）は、上りタイムスロットでのスペクトルであるとする。図６（ａ）は、送信電力制御を実行する前のスペクトルであり、図３に相当する。図示のごとく、第１サブチャネルが第１端末装置１２ａに割り当てられ、第２サブチャネルが第２端末装置１２ｂに割り当てられているものとする。また、第１端末装置１２ａに対する受信電力よりも、第２端末装置１２ｂに対する受信電力の方が大きいとする。図６（ｂ）は、送信電力制御を実行した後のスペクトルである。図示のごとく、第１端末装置１２ａに対する受信電力と、第２端末装置１２ｂに対する受信電力とがほぼ等しくなるように制御がなされている。ここで、図６（ｂ）での第２端末装置１２ｂに対する通信速度は、図６（ａ）での第２端末装置１２ｂに対する通信速度の１／２になるとする。そのため、図６（ｂ）に示されたように、第２端末装置１２ｂに対してふたつのサブチャネルが割り当てられる。その結果、第２端末装置１２ｂに対するスループットは、指示前と指示後において同一の値になる。図４に戻る。
【００５０】
なお、無線リソース割当部３８は、端末装置１２に割り当てるべきサブチャネルの数が増加することによって、当該サブチャネルを含んだタイムスロットでの空きサブチャネルが不足した場合に、別のタイムスロットに含まれたサブチャネルを当該端末装置１２に割り当てる。その際、別のタイムスロットでは、別の値の目標値が規定されているので、送信電力制御部４０は、端末装置１２に対して、タイムスロットごとに異なった送信電力となるような指示を送信する。
【００５１】
制御チャネル決定部３２は、制御信号をサブチャネルに割り当てる。ここで、制御信号とは、端末装置１２との通信を制御するために使用される情報が含まれた信号である。このような制御信号の重要性は、データ信号よりも高いといえる。制御チャネル決定部３２は、記憶部３０を参照しながら、予め定めたサブチャネルに制御信号を選択する。また、制御チャネル決定部３２は、選択したサブチャネルを無線リソース割当部３８に通知する。無線リソース割当部３８は、制御チャネル決定部３２からの通知にしたがって、制御信号にサブチャネルを割り当てる。記憶部３０は、無線制御部２８と連携し、必要なデータを記憶する。
【００５２】
この構成は、ハードウエア的には、任意のコンピュータのＣＰＵ、メモリ、その他のＬＳＩで実現でき、ソフトウエア的にはメモリにロードされた通信機能のあるプログラムなどによって実現されるが、ここではそれらの連携によって実現される機能ブロックを描いている。したがって、これらの機能ブロックがハードウエアのみ、ソフトウエアのみ、またはそれらの組合せによっていろいろな形で実現できることは、当業者には理解されるところである。
【００５３】
以上の構成による基地局装置１０の動作を説明する。図７は、基地局装置１０におけるサブチャネルの割当手順を示すフローチャートである。通信品質判定部３４は、受信電力を測定する（Ｓ１０）。無線リソース割当部３８は、受信電力をもとに、タイムスロットを選択する（Ｓ１２）。使用中のサブチャネルがあれば（Ｓ１４のＹ）、無線リソース割当部３８は、受信電力を比較する（Ｓ１６）。送信電力制御部４０による送信電力制御が必要であり（Ｓ１８のＹ）、通信速度が低下するとき（Ｓ２０のＹ）、無線リソース割当部３８は、同一のタイムスロットに、電力低下分に応じた複数のサブチャネルを割り当てる（Ｓ２２）。
【００５４】
使用中のサブチャネルがなく（Ｓ１４のＮ）、あるいは送信電力制御部４０による送信電力制御が必要でなく（Ｓ１８のＮ）、あるいは通信速度が低下しないとき（Ｓ２０のＮ）、無線リソース割当部３８は、サブチャネルを割り当てる（Ｓ２４）。その結果、端末装置１２からの要求速度に足りていれば（Ｓ２６のＹ）、処理は終了される。一方、端末装置１２からの要求速度に足りていなければ（Ｓ２６のＮ）、無線リソース割当部３８は、別のタイムスロットを使用し（Ｓ２８）、ステップ１２からの処理を繰り返し実行する。
【００５５】
次に、サブチャネルの別の割当処理を説明する。これまでの割当処理は、ある程度の数の端末装置１２に対して既にサブチャネルが割り当てられているか否かにかかわらず実行される。一方、これから説明する別の割当手順は、非常に少ない数の端末装置１２に対してしかサブチャネルが割り当てられていない状態、つまり多くのタイムスロットやサブチャネルに空きが存在する状態において実行される。これは、初期状態でのサブチャネルの割当ともいえる。
【００５６】
別の割当処理における通信システム１００は、図１と同様のタイプであり、基地局装置１０は、図４と同様のタイプである。そのため、ここでは、それらとの差異を中心に説明する。通信品質判定部３４は、ＲＦ部２０、ベースバンド処理部２２、変復調部２４を介して、サブチャネルの割当を要求している図示しない端末装置１２からの受信信号の電力を測定する。無線リソース割当部３８は、各タイムスロットに含まれた複数のサブチャネルのそれぞれを端末装置１２に割り当てる。その際、無線リソース割当部３８は、記憶部３０に記憶されたしきい値と、通信品質判定部３４からの受信電力とを比較する。
【００５７】
無線リソース割当部３８は、受信電力がしきい値よりも大きければ、送信電力制御部４０に対して、通信速度が低下する程度に送信強度を低下させるように指示する。例えば、受信電力から「１６ＱＡＭ」による通信が可能である場合、「ＱＰＳＫ」による通信しかできない程度の受信電力となるように、送信電力を低下するような指示がなされる。送信電力制御部４０は、無線リソース割当部３８からの指示をもとに、変復調部２４、ベースバンド処理部２２、ＲＦ部２０を介して、端末装置１２に対して送信電力の低下を指示する。また、無線リソース割当部３８は、通信速度の低下に応じて、同一タイムスロットに含まれた複数のサブチャネルを当該端末装置１２に割り当てる。
【００５８】
一方、無線リソース割当部３８は、受信電力がしきい値以下であれば、当該端末装置１２から要求されるスループットを確認し、割り当てるべきサブチャネルの数を特定する。複数のサブチャネルの割当が必要である場合、無線リソース割当部３８は、異なった複数のタイムスロットを特定する。また、無線リソース割当部３８は、特定したタイムスロットに含まれたサブチャネルを当該端末装置１２に割り当てる。
【００５９】
つまり、無線リソース割当部３８は、所定の端末装置１２に対して複数のサブチャネルを割り当てる場合、当該端末装置１２に対する受信電力が大きければ、周波数方向に複数のサブチャネルを割り当てる。その際、送信電力制御部４０は、送信電力を下げさせるような制御を実行するので、当該タイムスロットに対する受信電力の増加が抑制される。その結果、当該タイムスロットに他の端末装置１２を割り当てやすくなり、サブチャネルの有効利用が可能になる。一方、無線リソース割当部３８は、当該端末装置１２に対する受信電力が小さければ、時間方向に複数のサブチャネルを割り当てる。その結果、各タイムスロットでの受信電力の低下を抑制でき、通信速度の低下も抑制できる。
【００６０】
図８は、基地局装置１０におけるサブチャネルの別の割当手順を示すフローチャートである。ＲＦ部２０、ベースバンド処理部２２、変復調部２４を介して、無線制御部２８は、端末装置１２からの割当要求を受けつける（Ｓ５０）。通信品質判定部３４は、当該端末装置１２に対する受信電力を測定する（Ｓ５２）。複数のサブチャネルを使用する場合（Ｓ５４のＹ）であり、受信電力がしきい値よりも大きければ（Ｓ５６のＹ）、無線リソース割当部３８は、同一タイムスロットの使用を決定し（Ｓ５８）、決定したタイムスロットに含まれたサブチャネルを割り当てる。一方、受信電力がしきい値よりも大きくなければ（Ｓ５６のＮ）、無線リソース割当部３８は、異なったタイムスロットの使用を決定し（Ｓ６０）、決定したタイムスロットに含まれたサブチャネルを割り当てる。複数のサブチャネルを使用しない場合（Ｓ５４のＮ）、無線リソース割当部３８は、当該端末装置１２にサブチャネルを割り当てる（Ｓ６２）。
【００６１】
本発明の実施例によれば、送信電力の低下を指示した端末装置の通信速度が指示前の通信速度よりも低くなる場合に、当該端末装置に割り当てるべきサブチャネルの数を増加させるので、送信電力を低減するような制御がなされる端末装置に対してもスループットの低減を抑制できる。また、送信電力の低下を指示することによって、ＯＦＤＭＡの対象となる複数の端末装置に対する受信電力が近くなるので、ＦＦＴにおける精度を向上できる。また、受信特性を向上できる。また、割り当てるべきサブチャネルの数が増加することによって空きサブチャネルが不足すると、別のタイムスロットにおけるサブチャネルを割り当てるので、当該端末装置に対するスループットの低減を抑制できる。
【００６２】
また、目標値の高いタイムスロットに含まれたサブチャネルを割り当てる場合よりも、目標値の低いタイムスロットに含まれたサブチャネルを割り当てる場合に、当該端末装置の通信速度を低下させながら、当該端末装置に割り当てるべきサブチャネルの数を増加させるので、スループットの低減を抑制できる。また、受信強度が大きい端末装置に対して、送信強度を低下させながら、同一タイムスロットに含まれた複数のサブチャネルを割り当て、受信強度が小さい端末装置に対して、異なったタイムスロットに含まれた複数のサブチャネルを割り当てるので、後からサブチャネルを割り当てる端末装置に対する通信速度の低減を抑制できる。また、既に割り当てたタイムスロットに他の端末装置を割り当てやすくなり、サブチャネルの有効利用が可能になる。また、各タイムスロットでの受信電力の低下を抑制でき、通信速度の低下も抑制できる。
【００６３】
以上、本発明を実施例をもとに説明した。この実施例は例示であり、それらの各構成要素や各処理プロセスの組合せにいろいろな変形例が可能なこと、またそうした変形例も本発明の範囲にあることは当業者に理解されるところである。
【図面の簡単な説明】
【００６４】
【図１】本発明の実施例に係る通信システムの構成を示す図である。
【図２（ａ）】図１の通信システムにおけるフレーム構成を示す図である。
【図２（ｂ）】図１の通信システムにおけるフレーム構成を示す図である。
【図２（ｃ）】図１の通信システムにおけるフレーム構成を示す図である。
【図３】図１の通信システムにおけるサブチャネルの配置を示す図である。
【図４】図１の基地局装置の構成を示す図である。
【図５】図４の記憶部に記憶された目標値のデータ構造を示す図である。
【図６】図６（ａ）−（ｂ）は、図４の無線リソース割当部におけるサブチャネルの割当の概要を示す図である。
【図７】図４の基地局装置におけるサブチャネルの割当手順を示すフローチャートである。
【図８】図４の基地局装置におけるサブチャネルの別の割当手順を示すフローチャートである。
【符号の説明】
【００６５】
１０  基地局装置、  １２  端末装置、  ２０  ＲＦ部、  ２２  ベースバンド処理部、  ２４  変復調部、  ２６  ＩＦ部、  ２８  無線制御部、  ３０  記憶部、  ３２  制御チャネル決定部、  ３４  通信品質判定部、  ３８  無線リソース割当部、  ４０  送信電力制御部、  １００  通信システム。
【図１】
2008252193.tif 000003
【図２（ａ）】
2008252193.tif 000004
【図２（ｂ）】
2008252193.tif 000005
【図２（ｃ）】
2008252193.tif 000006
【図３】
2008252193.tif 000007
【図４】
2008252193.tif 000008
【図５】
2008252193.tif 000009
【図６】
2008252193.tif 000010
【図７】
2008252193.tif 000011
【図８】
2008252193.tif 000012